(57)【要約】【課題】水切り部材の取り付け作業を容易にする。【解決手段】水切り部材１は、一枚の金属板を折り曲げて成形されてなり、垂直平面状の取付板部１１と、取付板部１１の下端から前方に延出する雨水案内板部１２と、雨水案内板部１２の前端から下方に延出する前垂れ板部１３と、前垂れ板部１３の下端から後方へ延出する底板部１４とを含む。底板部１４は、３つの折り曲げ部１６ａ〜１６ｃを有する。【選択図】図２
2018059363.tif 000002
【特許請求の範囲】
【請求項１】
一枚の金属板を折り曲げて成形されてなり、垂直平面状の取付板部と、前記取付板部の下端から前方に延出する雨水案内板部と、前記雨水案内板部の前端から下方に延出する前垂れ板部と、前記前垂れ板部の下端から後方へ延出する底板部とを備える水切り部材において、
前記底板部は、少なくとも３以上の折り曲げ部を有することを特徴とする水切り部材。
【請求項２】
前記底板部の後端から上方に折り曲げられて延出する折り曲げ板部をさらに備えていることを特徴とする請求項１に記載の水切り部材。
【請求項３】
前記底板部は、前記前垂れ板部の下端よりも上方位置に配置された部分を有しており、
前記部分には、厚み方向に貫通した複数の換気孔によって構成された換気部が設けられていることを特徴とする請求項１又は２に記載の水切り部材。
【請求項４】
前記部分は、後方に行くに連れて上方に傾斜していることを特徴とする請求項３に記載の水切り部材。
【請求項５】
前記底板部は、前記折り曲げ部によって上下方向に折り返された折り返し部を有していることを特徴とする請求項１〜４のいずれかに記載の水切り部材。
【請求項６】
前記底板部は、前記前垂れ板部の下端よりも上方位置に配置された部分を有しており、
前記部分は、前記折り返し部よりも前方に配置されていることを特徴とする請求項５に記載の水切り部材。
【請求項７】
少なくとも３以上の前記折り曲げ部のうち、最も下方に配置された前記折り曲げ部は、前記前垂れ板部の下端よりも下方に配置されていることを特徴とする請求項１〜６のいずれか１項に記載の水切り部材。
【請求項８】
垂直平面状の取付板部と、前記取付板部の下端から前方に延出する雨水案内板部と、前記雨水案内板部の前端から下方に延出する前垂れ板部と、前記前垂れ板部の下端から後方へ延出する底板部とを有する水切り部材を、一枚の金属板を折り曲げることで製造する水切り部材の製造方法において、
前記金属板を折り曲げることで、少なくとも３以上の折り曲げ部を前記底板部に形成する折り曲げ部形成工程を備えていることを特徴とする水切り部材の製造方法。
【発明の詳細な説明】
【技術分野】
【０００１】
本発明は、建物の土台部、屋根、ベランダ、バルコニー等の建物の外壁から張り出したオーバーハング部の下端部等に取り付けられる水切り部材及びその製造方法に関する。
【背景技術】
【０００２】
建物の土台部やオーバーハング部の外壁の下端部に取り付けられる水切り部材には、土台等の垂直面に取り付けるための取付板部、該取付板部の下端から前方に延出する雨水案内板部、該雨水案内板部の前端から下方に延出する前垂れ板部及び該前垂れ板部の下端から後方へ延出し後端を基礎等の建物構造体に当接させて取り付けられる底板部を有するものがある（特許文献１参照）。
【先行技術文献】
【特許文献】
【０００３】
【特許文献１】特開２０１６−７９６２５号公報
【発明の概要】
【発明が解決しようとする課題】
【０００４】
上記特許文献１に記載の水切り部材は、一枚の金属平板を折り曲げて形成されており、底板部は、金属平板の前垂れ板部の下端に該当する部分から斜め上方に傾斜するように一回折り曲げられて構成されている。このため、底板部は平板状に形成されており、比較的強度が小さくなる。このため、水切り部材の底板部の後端を基礎等の建物構造体に取り付ける際に、底板部の後端が垂れ下がったりして、後端の高さ位置にバラツキが生じやすくなる。この結果、水切り部材の底板部の後端の取り付け調整などに手間がかかり、作業効率が低下する問題が生じる。
【０００５】
加えて、この種の水切り部材は、取付板部と前垂れ板部との間の水平距離、所謂出幅が異なる複数種類のものが製造されている。このような複数種類の水切り部材は、取付板部の高さ、雨水案内部の傾斜角度及び前垂れ部の高さが同じとされていることから、この出幅の長さが異なると、取付板部の上端と底板部の後端との高さ（取付幅）が異なる。つまり、出幅が長いものの方が、取付幅が長くなってしまう。また、このような水切り部材の取り付け作業では、土台等の取付け面に描かれた水平線である罫書き（墨出線）に取付板部の上端を沿わせて取り付けていくのが一般的な方法とされている。罫書きは、水切り部材の底板部の後端を基準に描くために、上述のように水切り部材の種類毎に取付幅が異なると、描かれる罫書きの高さも水切り部材の種類毎に異なることとなる。この結果、種類毎に取付幅が異なる水切り部材では、取付作業の際、用いる水切り部材の出幅に応じて罫書きを描く高さ位置を異ならせる必要があり、作業が煩わしいものとなる。
【０００６】
そこで、本発明の目的は、水切り部材の取り付け作業を容易にすることが可能な水切り部材及びその製造方法を提供することである。
【課題を解決するための手段】
【０００７】
本発明の水切り部材は、一枚の金属板を折り曲げて成形されてなり、垂直平面状の取付板部と、前記取付板部の下端から前方に延出する雨水案内板部と、前記雨水案内板部の前端から下方に延出する前垂れ板部と、前記前垂れ板部の下端から後方へ延出する底板部とを備える水切り部材において、前記底板部は、少なくとも３以上の折り曲げ部を有する。
【０００８】
これによると、底板部が少なくとも３以上の折り曲げ部を有していることで、底板部の強度が向上し、底板部の後端の上下方向の高さ位置を安定させることが可能となる。このため、水切り部材の取り付け作業が容易になる。また、底板部が少なくとも３以上の折り曲げ部を有しており、この折り曲げ部を形成する際に底板部の後端の高さ位置を所定の位置とすることが可能となる。つまり、水切り部材の出幅サイズの異なるもの同士においても、水切り部材の取付幅（取付板部の上端から底板部の後端までの高さ）を同じになるようにしておくことで、出幅サイズが異なっても罫書きの位置を同じにして水切り部材を取り付けることが可能となる。
【０００９】
また、本発明において、前記底板部の後端から上方に折り曲げられて延出する折り曲げ板部をさらに備えていることが好ましい。これにより、取扱時に底板部の後端に作業者の手が触れて怪我をするのを軽減できる。また、底板部に換気孔を設けた場合に、換気孔から雨水が吹き込んだとしても、吹き込んだ雨水が建物内部への侵入するのを抑制することが可能となる。
【００１０】
また、本発明において、前記底板部は、前記前垂れ板部の下端よりも上方位置に配置された部分を有しており、前記部分には、厚み方向に貫通した複数の換気孔によって構成された換気部が設けられていることが好ましい。これにより、換気部が、前垂れ板部の下端よりも上方位置に設けられるので、雨水の浸入を軽減でき、また、換気孔が目立ちにくくなる。
【００１１】
また、本発明において、前記部分は、後方に行くに連れて上方に傾斜していることが好ましい。これにより、雨水の浸入をより軽減でき、また、換気孔がより目立ちにくくなる。
【００１２】
また、本発明において、前記底板部は、前記折り曲げ部によって上下方向に折り返された折り返し部を有していることが好ましい。これにより、底板部の後端の高さ位置がより安定する。
【００１３】
また、本発明において、前記底板部は、前記前垂れ板部の下端よりも上方位置に配置された部分を有しており、前記部分は、前記折り返し部よりも前方に配置されていることが好ましい。これにより、雨水の浸入をより軽減でき、また、換気孔がより目立ちにくくなる。
【００１４】
また、本発明において、少なくとも３以上の前記折り曲げ部のうち、最も下方に配置された前記折り曲げ部は、前記前垂れ板部の下端よりも下方に配置されていることが好ましい。これにより、地盤面から基礎外面を蔦って這い上がってきたヤスデが水切り部材を蔦って外壁内や床下内に侵入するのを防止するヤスデ返しの機能を付加することができる。特に、換気孔を当該最も下方に配置された折り曲げ部よりも前方側の底板部に設けた場合には、換気孔からヤスデが侵入することを防止できる。また、当該最も下方に配置された折り曲げ部において底板部が上下方向に折り畳まれた折り返し部を有するようにしておくのがより好ましく、このようにすることで、折り返し部の下端が前垂れ板部の下端よりも下方に突出するようになり、ヤスデ返しとしてより効果的である。底板部後方の建物の壁面、例えば基礎外面や軒天材下面等に沿って雨水が風によって吹き上げられたりした場合であっても、当該折り曲げ部により前垂れ板部の下端よりも下方に突出した底板部の部分で雨水を下方に導くことができ、雨水が前垂れ板部から前方に吹き返されたり、吹き出るのを軽減することができる。また、例えば、前垂れ板部の下端よりも上方位置で、前記最も下方に配置された折り曲げ部よりも前方に換気孔が設けられている場合には、当該折り曲げ部は換気部よりも下方に位置することになるので、水切り部材を基礎上の土台等に取り付けた場合に、雨水が風によって基礎等の建物の外表面に沿って吹き上げられたとしても、雨水が換気部から水切り部材の内部に浸入することを防止できる。
【００１５】
また、本発明の水切り部材の製造方法は、垂直平面状の取付板部と、前記取付板部の下端から前方に延出する雨水案内板部と、前記雨水案内板部の前端から下方に延出する前垂れ板部と、前記前垂れ板部の下端から後方へ延出する底板部とを有する水切り部材を、一枚の金属板を折り曲げることで製造する水切り部材の製造方法において、前記金属板を折り曲げることで、少なくとも３以上の折り曲げ部を前記底板部に形成する折り曲げ部形成工程を備えている。
【００１６】
これによると、少なくとも３以上の折り曲げ部を有する底板部を製造することが可能となる。このため、底板部の強度が向上し、底板部の後端の上下方向の高さ位置を安定させることが可能となる。したがって、水切り部材の取り付け作業が容易になる。また、底板部に少なくとも３以上の折り曲げ部を形成する際に、底板部の後端の高さ位置を所定の位置とすることが可能となる。つまり、水切り部材の出幅サイズの異なるもの同士においても、水切り部材の取付幅（取付板部の上端から底板部の後端までの高さ）を同じになるようにしておくことで、出幅サイズが異なっても罫書きの位置を同じにして水切り部材を取り付けることが可能となる。
【発明の効果】
【００１７】
本発明の水切り部材によると、底板部が少なくとも３以上の折り曲げ部を有していることで、底板部の強度が向上し、底板部の後端の上下方向の高さ位置を安定させることが可能となる。このため、水切り部材の取り付け作業が容易になる。また、底板部が少なくとも３以上の折り曲げ部を有しており、この折り曲げ部を形成する際に底板部の後端の高さ位置を所定の位置とすることが可能となる。つまり、水切り部材の出幅サイズの異なるもの同士においても、水切り部材の取付幅（取付板部の上端から底板部の後端までの高さ）を同じになるようにしておくことで、出幅サイズが異なっても罫書きの位置を同じにして水切り部材を取り付けることが可能となる。
また、本発明の水切り部材の製造方法によると、少なくとも３以上の折り曲げ部を有する底板部を製造することが可能となる。このため、底板部の強度が向上し、底板部の後端の上下方向の高さ位置を安定させることが可能となる。したがって、水切り部材の取り付け作業が容易になる。また、底板部に少なくとも３以上の折り曲げ部を形成する際に、底板部の後端の高さ位置を所定の位置とすることが可能となる。つまり、水切り部材の出幅サイズの異なるもの同士においても、水切り部材の取付幅（取付板部の上端から底板部の後端までの高さ）を同じになるようにしておくことで、出幅サイズが異なっても罫書きの位置を同じにして水切り部材を取り付けることが可能となる。
【図面の簡単な説明】
【００１８】
【図１】本発明の一実施形態に係る水切り部材を建物の土台に取り付けた状態を示す概略断面図である。
【図２】図１に示す水切り部材の側面図である。
【図３】図２に示す水切り部材の部分底面図である。
【図４】本発明の他の実施形態に係る水切り部材であって、図２に示す水切り部材よりも出幅の小さい水切り部材の側面図である。
【図５】図４に示す水切り部材の部分底面図である。
【図６】図２及び図４に示す水切り部材の取付幅の状態を示す説明図である。
【図７】変形例に係る水切り部材の要部側面図である。
【図８】本発明の他の実施形態に係るオーバーハング部用の水切り部材の側面図である。
【発明を実施するための形態】
【００１９】
以下、本発明の一実施形態に係る水切り部材１を図１〜図３を参照しながら説明する。図１は、本発明の一実施形態に係る水切り部材を建物の土台に取り付けた状態を示している。本実施形態における建物１００は、図示しない建築物を支持する基礎１０１、基礎パッキン１０２及び土台１０３などを有する。
【００２０】
基礎１０１は、地面から上方に立ち上がって形成されており、図１中紙面垂直方向Ａに長尺に延在している。基礎１０１の屋外側の側面１０１ａには、化粧モルタル１０４が形成されている。基礎パッキン１０２は、方向Ａに沿って長尺に形成されており、基礎１０１上に設置されている。また、基礎パッキン１０２には、屋外側と屋内側とを連通させるための複数の換気孔１０２ａが形成されている。複数の換気孔１０２ａは、方向Ａに沿って互いに離隔して形成されている。土台１０３も、方向Ａに沿って長尺に形成されており、基礎パッキン１０２上に設置されている。土台１０３の屋外側の側面１０３ａには、雨水などの浸入を防ぐための複数の水切り部材１が、方向Ａに沿って並べて取り付けられている。各水切り部材１は、後述の底板部１４の後端を化粧モルタル１０４上に当接させた状態で土台１０３に取り付けられている。
【００２１】
本実施形態における水切り部材１は、図２に示すように、取付板部１１と、雨水案内板部１２と、前垂れ板部１３と、底板部１４と、折り曲げ板部１５ｅとを有しており、方向Ａに長尺に形成されている。水切り部材１は、例えば、０．３５ｍｍの鋼板を折り曲げて構成されている。なお、鋼板の厚みは特に限定するものではない。また、鋼板以外の金属板を折り曲げて構成されていてもよい。また、水切り部材１については、その屋外側を前方とし、屋内側を後方として以下に説明する。また、方向Ａは、水平方向であって前後方向Ｂと直交する直交方向である。
【００２２】
取付板部１１は、上下方向Ｃに沿って垂直平面状に形成されている。取付板部１１は、その上端を土台１０３の側面１０３ａに描かれた罫書きに沿わせた状態で土台１０３に釘などで取り付けられる。雨水案内板部１２は、取付板部１１の下端から前面１１ａ側斜め下方へ傾斜して延出されている。これにより、土台１０３の側面１０３ａ側に形成される外壁材（不図示）から雨水案内板部１２上に落下してきた雨水を前垂れ板部１３側へと案内することができる。前垂れ板部１３は、雨水案内部１２の前端から鉛直方向下方へ延出されている。底板部１４は、前垂れ板部１３の下端から後方に延出されている。折り曲げ板部１５ｅは、底板部１４の後端から前方斜め上方に延出されている。
【００２３】
底板部１４は、４つの延出板部１５ａ〜１５ｄと、中途に３つの折り曲げ部１６ａ〜１６ｃとを有している。３つの折り曲げ部１６ａ〜１６ｃは、４つの延出板部１５ａ〜１５ｄが所望方向に延出するように、底板部１４を構成する鋼板を折り曲げるための折り曲げ部である。延出板部１５ａは、前垂れ板部１３の下端から後方斜め上方に傾斜して延出している。より詳細には、延出板部１５ａと前垂れ板部１３とがなす角度θ１が所定角度（例えば、５０°）となるように、延出板部１５ａが前垂れ板部１３の下端から延出している。延出板部１５ｂは、折り曲げ部１６ａによって延出板部１５ａの後端から鉛直方向下方に延出している。より詳細には、延出板部１５ｂは、上下方向Ｃにおいて、その下端が前垂れ板部１３の下端よりも下方に配置される位置まで、延出板部１５ａの後端から延出している。
【００２４】
延出板部１５ｃは、折り曲げ部１６ｂによって延出板部１５ｂの下端から鉛直方向上方に延出している。より詳細には、延出板部１５ｃは、上下方向Ｃにおいて、その上端が前垂れ板部１３の下端と延出板部１５ａの上端との間に配置される位置まで、延出板部１５ｂの下端から延出している。なお、延出板部１５ｂ，１５ｃは、折り曲げ部１６ａ，１６ｂによって折り返された折り返し部（以下、折り返し部１５ｂ，１５ｃと称することがある。）でもある。また、折り曲げ部１６ｂは、他の２つの折り曲げ部１６ａ，１６ｃよりも下方であって前垂れ板部１３の下端よりも下方位置に配置されている。
【００２５】
延出板部１５ｄは、折り曲げ部１６ｃによって延出板部１５ｃの上端から水平方向後方に延出している。より詳細には、延出板部１５ｄは、前後方向Ｂにおいて、その後端が雨水案内板部１２の後端よりもやや前方に配置される位置まで、延出板部１５ｃの上端から延出している。
【００２６】
折り曲げ板部１５ｅは、折り曲げ部１６ｄによって延出板部１５ｄの後端から前方斜め上方に傾斜して延出している。これにより、延出板部１５ｄの後端であって折り曲げ部１６ｄが配置された位置が、底板部１４の後端となる。つまり、折り曲げ板部１５ｅは、底板部１４の後端から折り曲げ部１６ｄによって上方に折り曲げられて延出している。また、折り曲げ板部１５ｅは、上下方向Ｃにおいて、その上端が延出板部１５ａの上端と前垂れ板部１３の上端との間に配置される位置まで、延出板部１５ｄの後端から延出している。これによって、折り曲げ部１６ｂは、他の３つの折り曲げ部１６ａ，１６ｃ，１６ｄよりも下方であって、前垂れ板部１３の下端よりも下方位置に配置されている。
【００２７】
上述の延出板部１５ａは、後方に行くに連れて上方に傾斜する、底板部１４の一部分である。この延出板部１５ａには、図３に示すように、厚み方向に貫通した複数の換気孔１７ａによって構成された換気部１７が設けられている。複数の換気孔１７ａは、方向Ａに沿って等間隔に配置されている。また、換気孔１７ａは、図２に示すように、延出板部１５ａから折り曲げ部１６ａを経由して延出板部１５ｂの上端部まで延在して形成されている。また、延出板部１５ａは、前後方向Ｂにおいて、折り返し部１５ｂ，１５ｃよりも前方に配置されている。
【００２８】
続いて、上述の水切り部材１よりも出幅（取付板部と前垂れ板部との間の水平距離）の小さい水切り部材５１について、図４及び図５を参照しつつ以下に説明する。なお、上述の水切り部材１と同様なものについては、同符号で示し、説明を省略する。
【００２９】
水切り部材５０は、図４に示すように、取付板部１１、雨水案内板部５２、前垂れ板部１３、底板部５４を有している。この水切り部材５０も、例えば、０．３５ｍｍの鋼板を折り曲げて構成されている。水切り部材５０の取付板部１１及び前垂れ板部１３は、上述の水切り部材１の取付板部１１及び前垂れ板部１３と同様なものである。雨水案内板部５２は、前後方向Ｂの長さが水切り部材１の雨水案内板部１２よりも短いだけで、取付板部１１に対する傾斜角度は同じである。
【００３０】
底板部５４は、図４に示すように、４つの延出板部５５ａ，５５ｂ，１５ｃ，５５ｄと、３つの折り曲げ部１６ａ〜１６ｃとを有している。延出板部５５ａは、上述の延出板部１５ａと同様に前垂れ板部１３の下端から後方斜め上方に傾斜して延出している。このときの延出板部５５ａと前垂れ板部１３とがなす角度θ２は、上述の角度θ１よりも若干小さくなるように（例えば、４８°となるように）、延出板部５５ａが延出している。延出板部５５ｂは、上述の延出板部１５ｂと同様に、折り曲げ部１６ａによって延出板部５５ａの後端から鉛直方向下方に延出している。より詳細には、延出板部５５ｂは、上下方向Ｃにおいて、延出板部１５ｂよりも若干長く形成されている。
【００３１】
延出板部５５ｄは、前後方向Ｂの長さが底板部１４の延出板部１５ｄよりも短いだけであり、折り曲げ部１６ｃによって延出板部１５ｃの上端から水平方向後方に延出している。また、図４及び図５に示すように、延出板部５５ａには、厚み方向に貫通した複数の換気孔１７ａによって構成された換気部１７が設けられている。また、換気孔１７ａは、図４に示すように、延出板部５５ａから折り曲げ部１６ａを経由して延出板部５５ｂの上端部まで延在して形成されている。
【００３２】
水切り部材５０は、図６に示すように、上下方向Ｃにおいて、取付板部１１の上端から底板部５４の後端までの高さ（すなわち、水切り部材５０の取付幅）が、水切り部材１の取付板部１１の上端から底板部１４の後端までの高さ（水切り部材１の取付幅）と同じになるように、構成されている。より詳細には、３つの折り曲げ部１６ａ〜１６ｃの上下方向Ｃの位置を調整し、延出板部５５ｂの長さが延出板部１５ｂよりも若干長くなるように底板部５４を上下方向Ｃに折り曲げることで、水切り部材５０の出幅と水切り部材１の出幅とが異なっていても、水切り部材５０の取付幅と、水切り部材１の取付幅とを同じに設定することが可能となる。
【００３３】
このように底板部１４，５４が３つの折り曲げ部１６ａ〜１６ｃを有していると、これら折り曲げ部１６ａ〜１６ｃを形成する際に底板部１４，５４の後端の高さ位置を所定の位置とすることが可能となる。つまり、水切り部材１，５０の出幅サイズの異なるもの同士においても、水切り部材１，５０の取付幅を同じになるようにしておくことで、出幅サイズが異なっても罫書きの位置を同じにして水切り部材１，５０を取り付けることが可能となる。
【００３４】
上述の水切り部材１，５０の製造方法について、以下に説明する。水切り部材１，５０は同様な製造方法であるため、水切り部材１の製造方法について説明する。
【００３５】
本実施形態における水切り部材１を製造するには、まず、ロール状に巻かれた長尺の０．３５ｍｍの鋼板を、所定の長さに切断する（切断工程）。次に、切断された鋼板に、旋盤を用いて複数の換気孔１７ａを形成する（換気孔形成工程）。次に、成形機を用いて鋼板を折り曲げて、水切り部材１の取付板部１１、案内板部１２、前垂れ板部１３、底板部１４、折り曲げ板部１５ｅを形成する（折り曲げ工程）。
【００３６】
底板部１４を形成する際の折り曲げ工程においては、鋼板を折り曲げることで、３つの折り曲げ部１６ａ〜１６ｃを底板部１４に形成する（折り曲げ部形成工程）。このとき、上下方向Ｃにおいて、取付板部１１の上端から底板部１４の後端までの高さ（すなわち、取付幅）が所定幅となるように、鋼板を折り曲げて３つの折り曲げ部１６ａ〜１６ｃを形成する。これにより、底板部１４，５４に３つの折り曲げ部１６ａ〜１６ｃを形成する際に、底板部１４，５４の後端の高さ位置を所定の位置とすることが可能となる。つまり、水切り部材１の出幅サイズの異なるもの同士においても、水切り部材１，５０の取付幅を同じになるようにしておくことで、出幅サイズが異なっても罫書きの位置を同じにして水切り部材１，５０を取り付けることが可能となる。
【００３７】
以上に述べたように、本実施形態の水切り部材１，５０によると、底板部１４，５４が３つの折り曲げ部１６ａ〜１６ｃを有していることで、底板部１４，５４の強度が向上し、底板部１４，５４の後端の上下方向Ｃの高さ位置を安定させることが可能となる。このため、水切り部材１，５０の取り付け作業時に、底板部１４，５４の後端が上下に振れにくくなる。したがって、底板部１４，５４の後端を化粧モルタル１０４上に容易に当接させることが可能となり、当該取り付け作業が容易になる。
【００３８】
また、底板部１４，５４の延出板部１５ａ，５５ａに換気部１７が設けられている。換気部１７が、前垂れ板部１３の下端よりも上方位置に設けられるので、雨水の浸入を軽減でき、また、換気孔１７ａが目立ちにくくなる。
【００３９】
また、延出板部１５ａ，５５ａは、後方に行くに連れて上方に傾斜している。これにより、雨水の浸入をより軽減でき、また、換気孔１７ａがより目立ちにくくなる。
【００４０】
また、底板部１４，５４は、折り曲げ部１６ａ，１６ｂによって上下方向Ｃに折り返された折り返し部１５ｂ，１５ｃを有している。これにより、底板部１４，５４が上下方向Ｃにより一層振れにくくなる。このため、底板部１４，５４の後端の高さ位置がより安定する。
【００４１】
また、延出板部１５ａ，５５ａは、折り返し部１５ｂ，１５ｃよりも前方に配置されている。これにより、雨水の浸入をより軽減できる。
【００４２】
また、底板部１４，５４の後端に折り曲げ板部１５ｅが形成されている。これにより、換気孔１７ａから雨水が吹き込んだとしても、吹き込んだ雨水が折り返し板部１５ｅを越えにくくなる。このため、雨水が建物内部への侵入するのを抑制することが可能となる。
【００４３】
また、３つの折り曲げ部１６ａ〜１６ｃのうち、最も下方に配置された折り曲げ部１６ｂは、前垂れ板部１３の下端よりも下方に配置されている。これにより、折り返し部（折り畳み部）１５ｂ，１５ｃの下端（折り曲げ部１６ｂ）が前垂れ板部１３の下端よりも下方に突出するようになるので、地盤面から基礎外面を蔦って這い上がってきたヤスデが水切り部材１，５０を蔦って外壁内や床下内に侵入するのを防止することができる。また、折り曲げ部１６ｂは前垂れ板部１３の下端よりも上方位置に設けられた換気部１７よりも下方に位置することになるので、底板部１４の後方の化粧モルタル１０４（基礎外面）から雨水が風によって巻き上がったとしても、折り返し部１５ｃによって雨水を前方に吹き出ることを軽減でき、その結果、雨水が換気部１７から水切り部材１，５０の内部に浸入することを防止できる。
【００４４】
上述の実施形態における水切り部材１，５０の延出板部１５ａ，５５ａに代えて、図７に示すように、水切り部材６０の底板部６４が前垂れ板部１３の下端から鉛直方向上方に延出する延出板部６５ａ１と、当該延出板部６５ａ１の上端から後方斜め上方に傾斜して延出する延出板部６５ａ２とを有していてもよい。この変形例における水切り部材６０の延出板部６５ａ２も、前垂れ板部１３の下端よりも上方位置に配置され、当該延出板部６５ａ２に換気部１７が形成されている。また、換気部１７を構成する複数の換気孔１７ａは、図７に示すように、延出板部６５ａ２から折り曲げ部１６ａを経由して延出板部１５ｂの上端部まで延在して形成されている。このような水切り部材６０においても、上述の水切り部材１，５０と同様な構成においては、同じ効果を得ることができる。また、水切り部材６０は、４つ（３以上）の折り曲げ部１６ａ〜１６ｃ，６６ｅを有していることで、上述の水切り部材１，５０と同様の効果を得ることができる。
【００４５】
以上、本発明の好適な実施の形態について説明したが、本発明は上述の実施の形態に限られるものではなく、特許請求の範囲に記載した限りにおいて様々な変更が可能なものである。例えば、上述の実施形態における水切り部材１，５０，６０は、３つ又は４つの折り曲げ部１６ａ〜１６ｃ，６６ｅを有しているが、５以上の折り曲げ部を有していてもよい。また、上述の実施形態における延出板部１５ｂ，５５ｂは、延出板部１５ａ，５５ａの後端から鉛直方向下方に延出しているが、延出板部１５ａ，５５ａの後端から鉛直方向上方に延出していてもよい。この場合、延出板部１５ｃは延出板部１５ｂ，５５ｂの上端から鉛直方向下方に延出しておればよい。これにおいても、上述の水切り部材１，５０と同様の効果を得ることができる。
【００４６】
また、水切り部材１，５０，６０は、換気部１７を有していなくてもよい。また、換気部１７は、延出板部１５ｄ，５５ｄに設けられていてもよい。また、延出板部１５ａ，５５ａ，６５ａ２は、後方に行くに連れて上方に傾斜していなくてもよく、水平であっても、後方に行くに連れて下方に傾斜していてもよい。また、底板部１４，５４，６４は、上下方向Ｃに交差する方向に延出する複数の延出板部だけから構成されていてもよい。また、水切り部材１，５０，６０は、折り曲げ板部１５ｅを有していなくてもよいし、折り曲げ板部１５ｅに代えて折り畳んだような折り返し部としてもよい。
【００４７】
上述の水切り部材１，５０，６０は、土台１０３に取り付けられて用いられるものの例を示しているが、当然、屋根、ベランダ、バルコニー等の建物の外壁から張り出したオーバーハング部などに取り付けて用いることも可能である。
【００４８】
図８にオーバーハング部に用いられる水切り部材の例を示す。この水切り部材７０は、上述の水切り部材１，５０の延出板部１５ｄ，５５ｄに代えて、これらに相当する部分の延出板部７５ｄが取付板部１１よりも後方に延出するように形成されている。また、上述の水切り部材１，５０の折り曲げ板部１５ｅに代えて、これに相当する折り曲げ板部７５ｅが、底板部７４の後端（延出板部７５ｄの後端）の折り曲げ部１６ｄによって延出板部７５ｄの後端から上方に延出し、さらに前方に折り曲げられた略Ｌ字状に形成されている。このような水切り部材７０においても、上述の水切り部材１，５０と同様な構成においては、同じ効果を得ることができる。また、水切り部材７０は、３つの折り曲げ部１６ａ〜１６ｃを有していることで、上述の水切り部材１，５０と同様の効果を得ることができる。
【符号の説明】
【００４９】
１，５０，６０  水切り部材
１１  取付板部
１２  雨水案内板部
１３  前垂れ板部
１４，５４，６４，７４  底板部
１５ａ，５５ａ，６５ａ２  延出板部（部分）
１５ｂ，１５ｃ  延出板部（折り返し部）
１５ｅ，７５ｅ  折り曲げ板部
１６ａ〜１６ｄ，６６ｅ  折り曲げ部
１７  換気部
１７ａ  換気孔
【図１】
2018059363.tif 000003
【図２】
2018059363.tif 000004
【図３】
2018059363.tif 000005
【図４】
2018059363.tif 000006
【図５】
2018059363.tif 000007
【図６】
2018059363.tif 000008
【図７】
2018059363.tif 000009
【図８】
2018059363.tif 000010